(57)【要約】      （修正有）【課題】電池交換や充電等を必要とせず、防水・防塵機能を備え、押ボタンがどのように押された場合でも確実に作動するワイヤレス送信機を提供する。【解決手段】発電手段１２及び送信手段１４が配置されたベース部２０と、下向きの押圧突起６２により発電手段１２の所定部位を下方に押圧して作動させる押ボタン５０と、押圧突起６２の軸線に対して円周状に配置された複数の第１係合片６４と、第１係合片の６４各々と対になるようにベース部２０に配置された複数の第２係合片２２とを備え、押ボタン５０の中央部位が押操作された場合は、第１係合片６４と第２係合片２２との対で構成される複数の係合部を滑動ガイドとして押圧突起６２が降下し、押ボタン５０の周辺部位が押操作された場合は、複数の係合部の何れかを回動支点として押圧突起６２が降下して、発電手段１２を作動させる。【選択図】図２
0003211352.tif 000002
【実用新案登録請求の範囲】
【請求項１】
機械的変位を電力に変換する発電手段と、
前記発電手段が作動して出力した電力により所定の無線信号を送信する送信手段と、
手動操作による前記機械的変位を前記発電手段に伝達して作動させる操作機構と、
を備えたワイヤレス送信機であって、
前記操作機構は、
前記発電手段及び前記送信手段が中央部位に配置された基台部と、
略中央に配置された下向きの押圧突起により前記発電手段の所定部位を下方に押圧して作動させる押釦部と、
前記押釦部の周辺部位に、前記押圧突起の軸線に対して円周状に配置された複数の第１係合片と、
前記基台部の周辺部位に、前記第１係合片の各々と対になるように配置された複数の第２係合片と、
を備え、
前記手動操作として、
前記押釦部の中央部位が押操作された場合は、前記第１係合片と第２係合片との対で構成される複数の係合部を滑動ガイドとして前記押圧突起が降下し、
前記押釦部の周辺部位が押操作された場合は、前記複数の係合部の何れかを回動支点として前記押圧突起が降下して、前記発電手段を作動させることを特徴とするワイヤレス送信機。
【請求項２】
請求項１記載のワイヤレス送信機に於いて、前記基台部と前記押釦部との間に防塵カバーを備えたことを特徴とするワイヤレス送信機。
【請求項３】
請求項１記載のワイヤレス送信機に於いて、防塵フィルタを有する１又は複数の空気抜孔を前記基台部に備えたことを特徴とするワイヤレス送信機。
【請求項４】
請求項１記載のワイヤレス送信機に於いて、前記基台部が円盤状であり、前記押釦部が球面状であることを特徴とするワイヤレス送信機。
【請求項５】
請求項１記載のワイヤレス送信機に於いて、前記係合部を３又は４箇所備えたことを特徴とするワイヤレス送信機。
【請求項６】
請求項１記載のワイヤレス送信機に於いて、前記押釦部の周辺部位が押操作された場合は、前記押圧突起に対して前記押操作された位置の反対方向の係合部の１箇所、又は隣接する２箇所を結ぶ軸線が前記回動支点となることを特徴とするワイヤレス送信機。
【考案の詳細な説明】
【技術分野】
【０００１】
本考案は、電子機器を制御するリモコン等のワイヤレス送信機に関し、特に押ボタン操作により発電して信号を送信するワイヤレス送信機に関する。
【背景技術】
【０００２】
従来、この種のワイヤレス送信機としては、レストラン等の店舗において、利用客からの呼び出しを遠隔的に表示して店員に知らせる呼出システム、例えば、特許文献１の店舗用遠隔呼出システムで使用される呼出機が知られている。
【０００３】
この店舗用遠隔呼出システムにあっては、受信表示機に客席番号を異なる表示色に切替えて表示する番号表示器を設け、客席テーブルに設置した呼出器から、客席テーブルの種別に応じて予め設定した表示色の色識別情報を含む呼出信号を送信し、受信表示機は受信した呼出信号から色識別情報を判別して、対応する番号表示器を判別した表示色に切替えて客席テーブル番号を表示させている。
【先行技術文献】
【特許文献】
【０００４】
【特許文献１】特開２００３−２４２５６４号公報（特許第３４２３９４３号公報）
【特許文献２】特開２０１５−１３９２６７号公報
【特許文献３】特開２０１３−９０５５８号公報
【考案の概要】
【考案が解決しようとする課題】
【０００５】
しかしながら、従来のワイヤレス送信機の電源には電池が使用されていることから、電池が消耗した場合は、使用を中断して電池交換や充電等のメンテナンスを行わなければならず、そのために手間とコストがかかるという問題があった。
【０００６】
この問題に対しては、利用者の手動操作による機械的変位を電力に変換する発電手段を使用して、電池を不要としたワイヤレス送信機、例えば、特許文献２の発電入力装置や、特許文献３の電力自給式送信機等が提案されている。
【０００７】
しかし、このような発電手段では、レストラン等の店舗全域をカバーする範囲で受信可能な無線信号を送信するのに必要な電力を発電する仕事量、すなわち、呼出器の押ボタンの変位や操作力を得るためには、従来の押ボタンでは操作面積やストローク（押し込み量）が足りないという問題がある。
【０００８】
また、レストラン等の店舗において使用されるワイヤレス送信機は、屋内で使用される場合は飲食物をこぼされたり、屋外で使用される場合は風雨に曝されたりする使用状況を考慮して、防水機能や防塵機能を持つことが重要となっている。
【０００９】
そこで、本考案は、このような既存の発電手段を用いて、電池交換や充電等のメンテナンスを必要とせず、且つ防水・防塵機能を備えたワイヤレス送信機に、操作面積やストロークが大きな押ボタンを設け、且つ押ボタンがどのように押された場合でも確実に作動するワイヤレス送信機を提供することを目的とする。
【課題を解決するための手段】
【００１０】
本考案は、機械的変位を電力に変換する発電手段と、
発電手段が作動して出力した電力により所定の無線信号を送信する送信手段と、
手動操作による機械的変位を発電手段に伝達して作動させる操作機構と、
を備えたワイヤレス送信機であって、操作機構は、
発電手段及び送信手段が中央部位に配置された基台部と、
略中央に配置された下向きの押圧突起により発電手段の所定部位を下方に押圧して作動させる押釦部と、
押釦部の周辺部位に、押圧突起の軸線に対して円周状に配置された複数の第１係合片と、
基台部の周辺部位に、第１係合片の各々と対になるように配置された複数の第２係合片と、
を備え、手動操作として、
押釦部の中央部位が押操作された場合は、第１係合片と第２係合片との対で構成される複数の係合部を滑動ガイドとして押圧突起が降下し、
押釦部の周辺部位が押操作された場合は、複数の係合部の何れかを回動支点として押圧突起が降下して、発電手段を作動させることを特徴とする。
【００１１】
また、基台部と押釦部との間に防塵カバーを備える。
【００１２】
更に、防塵フィルタを有する１又は複数の空気抜孔を基台部に備える。
【００１３】
本考案のワイヤレス送信機は、基台部が円盤状であり、押釦部が球面状である。
【００１４】
また、係合部を３又は４箇所備える。
【００１５】
更に、押釦部の周辺部位が押操作された場合は、押圧突起に対して押操作された位置の反対方向の係合部の１箇所、又は隣接する２箇所を結ぶ軸線が回動支点となる。
【考案の効果】
【００１６】
本考案のワイヤレス送信機にあっては、電池交換や充電等のメンテナンスを必要とせず、且つ防水・防塵機能を備え、また、押ボタンがどのように押された場合でも確実に作動することが可能となる。
【図面の簡単な説明】
【００１７】
【図１】本考案によるワイヤレス送信機の外観を示す説明図
【図２】図１のワイヤレス送信機の操作機構を示す断面図
【図３】図２の各構成要素を上下方向に分離して示す説明図
【図４】図１のワイヤレス送信機の操作状態を示す断面図
【図５】図４の各操作状態の係合部を拡大して示す説明図
【図６】図１のワイヤレス送信機の押ボタンを押す位置による回動支点を示す説明図
【考案を実施するための形態】
【００１８】
［操作機構の構成］
まず、図１、図２及び図３により、本考案によるワイヤレス送信機の構成について説明する。ここで、図１は、本考案によるワイヤレス送信機の外観を示す説明図であり、図１（Ａ）は側面、図１（Ｂ）は底面を示している。また、図２は、図１のワイヤレス送信機の操作機構を側面から示す断面図、図３は、図２の各構成要素の断面を上下方向に分離して示す説明図である。
【００１９】
ワイヤレス送信機１０は、機械的変位を電力に変換する発電手段１２、発電手段１２が作動して出力した電力により無線信号を送信する送信手段１４、及び利用者の押操作による機械的変位を発電手段１２に伝達して作動させる操作機構を備え、操作機構の基本構成として、発電手段１２及び送信手段１４が中央部位に配置されたベース部材２０、利用者に操作面５２が押操作される押ボタン５０、及びベース部材２０と押ボタン５０の間に設けられた防塵カバー７０で構成されている。
【００２０】
ここで、発電手段１２及び送信手段１４を想像線（二点鎖線）で図示しているが、本実施形態では、既存の発電手段や送信手段、例えば、特許文献２に記載されているような周知の発電手段や、特許文献３に記載されているような周知の送信手段を使用することとし、その方式や構造は任意であることから、その具体的な構成や作動についての説明は省略する。
【００２１】
押ボタン５０には、球面状の操作面５２の内側に、ゴム等の弾性材で形成された防塵カバー７０を挟み込んで円錐台状の押圧部材６０が装着され、押圧部材６０は、挟み込んだ防塵カバー７０の弾性による反発を押ボタン５０の内側に垂下した複数（本実施形態では４本）の係合爪５４を係合孔部６８に係合させて押さえ込むことで、押ボタン５０に保持されている。
【００２２】
押圧部材６０の中央には、発電手段１２の所定の可動部を下方に押圧して作動させる押圧突起６２が垂下し、また、押圧部材６０の周辺部位には、押圧突起６２の軸線に対して円周状に複数（本実施形態では４本）の第１係合片６４が垂下している。なお、押ボタン５０及び押圧部材６０は押釦部として機能する。
【００２３】
円盤状のベース部材２０には、中央部に配線基板１６が配置され、配線基板１６に実装された発電手段１２及び送信手段１４の収納空間を形成する収納部４２を備えた保持部材４０が、防塵カバー７０の大径開口部７６に形成された内向フランジ部７８を挟み込んで設置され、また、ベース部材２０の周辺部位には、第１係合片６４の各々と対になるように複数（本実施形態では４本）の第２係合片２２が起立している。
【００２４】
保持部材４０は、収納部４２の天井面に、上方から押圧突起６２を貫入して発電手段１２の所定の可動部を下方に押圧するための貫通孔４４を備え、収納部４２の外側に形成されたフランジ部４６が、挟み込んだ防塵カバー７０の内向フランジ部７８の弾性による反発を、係合受部４８を第２係合片２２の係合爪部２４に係合させて押さえ込むことで、ベース部材２０に保持されている。なお、ベース部材２０及び保持部材４０は基台部として機能する。
【００２５】
また、ベース部材２０には、防塵フィルタ３０を備えた空気抜孔２８が周辺部位に円周状に複数（本実施形態では第２係合片２２の起立部位に４箇所）設けられており、押ボタン５０が押操作された際に、防塵カバー７０で密閉された内部の空気が圧縮されて押操作への抵抗力とならないようにしている。
【００２６】
ここで、防塵フィルタ３０は、リング状の一枚で複数の空気抜孔２８を覆う構成とし、防塵カバー７０の内向フランジ部７８と同様に、保持部材４０のフランジ部４６によりベース部材２０に押さえ込まれているが、空気抜孔２８毎に複数個で構成し、空気抜孔２８への設置も他の方法で行うようにしても構わない。
【００２７】
防塵カバー７０は、上端側の小径開口部７２とその下側に円周状に形成されたリブ８２が、押ボタン５０と押圧部材６０との間に挟み込まれており、防塵カバー７０の小径開口部７２に設けられた複数（本実施形態では４本）の係合突起７４が、押圧部材６０の係合孔部６８に挿入されて位置決めされ、また、リブ８２と下端側の大径開口部７６との間に蛇腹部８０が設けられており、押ボタン５０が押操作された際の変位を吸収する。
【００２８】
ここで、発電手段１２は、押ボタン５０が押操作されて押圧突起６２が降下する際に、所定の可動部が下方に押圧されて発電するが、押ボタン５０が押操作されなくなると、内蔵された復帰バネの弾性的反力や磁石による磁気的反力により、可動部が押圧突起６２を上方に押し戻すように作用する。
【００２９】
第１係合片６４の先端部には、係合爪部６６が形成され、ゲート状の第２係合片２２の上辺に位置する係合受部２６に当接して発電手段１２の反力による押圧部材６０の押し上げを抑止して、ワイヤレス送信機１０の定常状態（非操作時の状態）を保っている。なお、第１係合片６４及び第２係合片は係合部として機能する（図５参照）。
【００３０】
［操作機構の動作］
次に、図４及び図５により、本考案によるワイヤレス送信機の動作について説明する。ここで、図４は、図１のワイヤレス送信機１０の操作状態を示す断面図であり、図４（Ａ）は、ワイヤレス送信機１０が操作されていない定常状態、図４（Ｂ）は、押ボタン５０の中央部位が押操作された状態、図４（Ｃ）は、押ボタン５０の周辺部位が押操作された状態を示している。また、図５は、図４の各操作状態の係合部を拡大して示す説明図である。
【００３１】
ワイヤレス送信機１０は、利用者が押ボタン５０を手動操作した際に、図４（Ｂ）、図５（Ｂ）に示すように、操作面５２の中央部位が押操作された場合は、第１係合片６４と第２係合片２２との対で構成される複数の係合部９０の全てを滑動ガイドとして押圧突起６２が降下する。
【００３２】
押圧突起６２は、発電手段１２の所定の可動部の可動範囲であるストロークＳ１だけ降下して発電手段１２を作動させ、その際に、発電手段１２が出力した電力により送信手段１４が所定の無線信号を送信する。
【００３３】
また、図４（Ｃ）、図５（Ｃ）に示すように、操作面５２の周辺部位が押操作された場合は、複数の係合部９０の何れかを回動支点とし、他の係合部９０を滑動ガイドとして押圧突起６２がストロークＳ１だけ降下して発電手段１２を作動させ、その際に、発電手段１２が出力した電力により送信手段１４が所定の無線信号を送信する。
【００３４】
その後、操作面５２への押操作が解除されると、発電手段１２の反力により押ボタン５０が押し戻され、図４（Ａ）、図５（Ａ）に示すような定常状態に復帰する。その際に、利用者に呼び出し操作が完了したこと、すなわち、無線信号が送信され押操作を終えてよいことを知らせるために、表示灯を点灯させたり電子音を出力させたり等の報知手段を設けても構わないが、発電手段１２の可動部がストロークエンドで発する作動音が報知手段として使用できるだけの音量がある場合には、表示灯や電子音のための付加的な手段は省略できる。
【００３５】
ここで、図４（Ｂ）に示すように、操作面５２の中央部位が押操作された場合に、押圧突起６２が発電手段１２の所定の可動部の押操作に押力Ｆ１が必要とすると、図４（Ｃ）に示すように、操作面５２の周辺部位が押操作された場合は、押操作された部位を力点、係合部９０を支点、押圧突起６２を作用点としたレバー構成の操作機構となり、そのレバー比により、押操作される位置でのストロークＳ２が発電手段１２の可動部の可動範囲であるストロークＳ１より大きくなるが、押力Ｆ２は中央部位が押操作された場合の押力Ｆ１よりも小さくなる。
【００３６】
このように、操作面５２の周辺部位が押操作された場合であっても、その位置が操作面５２のどの辺であるか、また複数の係合部９０に対してどこにあるかで、支点やレバー比が変化するが、その一例を図６により説明する。
【００３７】
ここで、図６は、図１のワイヤレス送信機１０の押ボタン５０を押操作する位置による回動支点を示す説明図であり、図６（Ａ）は、押圧突起６２と係合部９０ａとの間の部位Ａで押操作された場合、図６（Ｂ）は、係合部９０ｃと係合部９０ｄとの間の部位Ｂで押操作された場合を示している。
【００３８】
利用者が押ボタン５０を手動操作した際に、図６（Ａ）に示すように、部位Ａが押操作された場合は、部位Ａが力点、係合部９０ｃが支点Ｐ（回動支点）、押圧突起６２が作用点となり、図６（Ｂ）に示すように、部位Ｂが押操作された場合には、部位Ｂが力点、係合部９０ｃと係合部９０ｄとを結ぶ軸線Ｃが回動支点、押圧突起６２が作用点となる。
【００３９】
なお、本実施形態では、４箇所の係合部９０ａ、９０ｂ、９０ｃ、９０ｄが構成されているが、係合部９０は、３箇所でも５箇所以上でも可能であり、その数は、操作性や製造コストを考慮して適宜選択される。
【００４０】
以上で、本考案のワイヤレス送信機の実施形態の説明とするが、本考案は、上記の実施形態に限定されず、その目的と利点を損なうことのない適宜の変形を含み、さらに、上記の実施形態に示した数値等による限定は受けない。
【符号の説明】
【００４１】
１０：ワイヤレス送信機
１２：発電手段
１４：送信手段
１６：配線基板
２０：ベース部材
２２：第２係合片
２４：係合爪部
２６：係合受部
２８：空気抜孔
３０：防塵フィルタ
３２：ゴム足
４０：保持部材
４２：収納部
４４：貫通孔
４６：フランジ部
４８：係合受部
５０：押ボタン
５２：操作面
５４：係合爪
６０：押圧部材
６２：押圧突起
６４：第１係合片
６６：係合爪部
６８：係合孔部
７０：防塵カバー
７２：小径開口部
７４：係合突起
７６：大径開口部
７８：内向フランジ部
８０：蛇腹部
８２：リブ
９０：係合部
【図１】
0003211352.tif 000003
【図２】
0003211352.tif 000004
【図３】
0003211352.tif 000005
【図４】
0003211352.tif 000006
【図５】
0003211352.tif 000007
【図６】
0003211352.tif 000008